(57)【要約】【課題】  自然生産物の安心や安全を消費者に提供することができるトレーサビリティシステムを得ることを目的とする。【解決手段】  生産・出荷履歴サーバ３や流通履歴サーバ１３から認証リクエストを受信すると、その受信時刻における気象画像と認証リクエストに含まれているＧＰＳデータをハッシュ関数に代入してハッシュ値を求め、そのハッシュ値を含む認証キーを生成する場所日時証明サーバ５を設け、その場所日時証明サーバ５により生成された認証キーを携帯電話１，１１のカメラ５２の撮影結果である写真に付加し、その写真を閲覧自在の情報公開サーバ６に格納する。【選択図】        図１
2006195654.tif 000002
【特許請求の範囲】
【請求項１】
自然生産物を撮影する撮影手段と、上記撮影手段が自然生産物を撮影すると、認証リクエストを送信する認証要求手段と、上記認証要求手段から認証リクエストを受信すると、その受信時刻における気象画像をハッシュ関数に代入してハッシュ値を求め、そのハッシュ値を含む認証キーを生成する認証キー生成手段と、上記認証キー生成手段により生成された認証キーを上記撮影手段の撮影結果に付加し、その撮影結果を閲覧自在の情報公開サーバに格納する撮影結果格納手段とを備えたトレーサビリティシステム。
【請求項２】
自然生産物を撮影する撮影手段と、ＧＰＳ衛星から発信される電波を上記撮影手段の撮影地点で受信し、その電波に重畳されているＧＰＳデータを取得するＧＰＳデータ取得手段と、上記撮影手段が自然生産物を撮影すると、上記ＧＰＳデータ取得手段により取得されたＧＰＳデータを含む認証リクエストを送信する認証要求手段と、上記認証要求手段から認証リクエストを受信すると、その認証リクエストに含まれているＧＰＳデータをハッシュ関数に代入してハッシュ値を求め、そのハッシュ値を含む認証キーを生成する認証キー生成手段と、上記認証キー生成手段により生成された認証キーを上記撮影手段の撮影結果に付加し、その撮影結果を閲覧自在の情報公開サーバに格納する撮影結果格納手段とを備えたトレーサビリティシステム。
【請求項３】
自然生産物を撮影する撮影手段と、ＧＰＳ衛星から発信される電波を上記撮影手段の撮影地点で受信し、その電波に重畳されているＧＰＳデータを取得するＧＰＳデータ取得手段と、上記撮影手段が自然生産物を撮影すると、上記ＧＰＳデータ取得手段により取得されたＧＰＳデータを含む認証リクエストを送信する認証要求手段と、上記認証要求手段から認証リクエストを受信すると、その受信時刻における気象画像と当該認証リクエストに含まれているＧＰＳデータをハッシュ関数に代入してハッシュ値を求め、そのハッシュ値を含む認証キーを生成する認証キー生成手段と、上記認証キー生成手段により生成された認証キーを上記撮影手段の撮影結果に付加し、その撮影結果を閲覧自在の情報公開サーバに格納する撮影結果格納手段とを備えたトレーサビリティシステム。
【請求項４】
撮影手段は、自然生産物の生産段階、出荷段階及び流通段階における一以上の段階で、自然生産物を撮影することを特徴とする請求項１から請求項３のうちのいずれか１項記載のトレーサビリティシステム。
【請求項５】
撮影結果格納手段により情報公開サーバに格納される撮影結果に対応する識別情報を自然生産物貼付用のラベルに印刷する識別情報印刷手段を設けたことを特徴とする請求項１から請求項３のうちのいずれか１項記載のトレーサビリティシステム。
【請求項６】
自然生産物貼付用のラベルに印刷されている識別情報を入力すると、情報公開サーバから当該識別情報に対応する撮影手段の撮影結果を収集し、その撮影結果を表示する撮影結果表示手段を設けたことを特徴とする請求項５記載のトレーサビリティシステム。
【請求項７】
撮影手段及びＧＰＳデータ取得手段が携帯情報端末に実装され、認証要求手段が履歴管理サーバに実装され、認証キー生成手段が証明サーバに実装されていることを特徴とする請求項３記載のトレーサビリティシステム。
【請求項８】
撮影手段、ＧＰＳデータ取得手段及び認証要求手段が携帯情報端末に実装され、認証キー生成手段が証明サーバに実装されていることを特徴とする請求項３記載のトレーサビリティシステム。
【請求項９】
認証キー生成手段は、認証要求手段から認証リクエストを受信する毎に、その認証リクエストの個数をカウントし、過去に受信した認証リクエストの個数が情報公開サーバに格納されている認証キー付の撮影結果の枚数と一致しない場合、警報を通知することを請求項１から請求項８のうちのいずれか１項記載のトレーサビリティシステム。
【発明の詳細な説明】
【技術分野】
【０００１】
この発明は、自然生産物の生産状況や流通状況を公開して、自然生産物の安心や安全を消費者に提供するトレーサビリティシステムに関するものである。
【背景技術】
【０００２】
従来のトレーサビリティシステムは、農作物の栽培過程の写真を付帯情報（例えば、栽培場所、収穫日）と対にしてデータベースに保存し、情報閲覧端末がデータベースをアクセスすれば、農作物の栽培過程の写真と付帯情報を表示することができるようにしている（例えば、特許文献１参照）。
【０００３】
【特許文献１】特開２００２−２９７６２５号公報（段落番号［００７７］から［００９０］、図８）
【発明の開示】
【発明が解決しようとする課題】
【０００４】
従来のトレーサビリティシステムは以上のように構成されているので、情報閲覧端末がデータベースをアクセスすれば、農作物の栽培過程の写真と付帯情報を表示することができる。しかし、付帯情報に含まれている栽培場所や収穫日などは、農産物の場所や時刻を特定する情報ではあるが、第三者機関などにより証明されている情報ではないため信憑性に乏しく、農産物の安心や安全を消費者に提供することができないなどの課題があった。
【０００５】
この発明は上記のような課題を解決するためになされたもので、自然生産物の安心や安全を消費者に提供することができるトレーサビリティシステムを得ることを目的とする。
【課題を解決するための手段】
【０００６】
この発明に係るトレーサビリティシステムは、認証要求手段から認証リクエストを受信すると、その受信時刻における気象画像と認証リクエストに含まれているＧＰＳデータをハッシュ関数に代入してハッシュ値を求め、そのハッシュ値を含む認証キーを生成する認証キー生成手段を設け、その認証キー生成手段により生成された認証キーを撮影手段の撮影結果に付加し、その撮影結果を閲覧自在の情報公開サーバに格納するようにしたものである。
【発明の効果】
【０００７】
この発明によれば、認証要求手段から認証リクエストを受信すると、その受信時刻における気象画像と認証リクエストに含まれているＧＰＳデータをハッシュ関数に代入してハッシュ値を求め、そのハッシュ値を含む認証キーを生成する認証キー生成手段を設け、その認証キー生成手段により生成された認証キーを撮影手段の撮影結果に付加し、その撮影結果を閲覧自在の情報公開サーバに格納するように構成したので、自然生産物の安心や安全を消費者に提供することができる効果がある。
【発明を実施するための最良の形態】
【０００８】
実施の形態１．
図１はこの発明の実施の形態１によるトレーサビリティシステムを示す構成図であり、図において、携帯情報端末である携帯電話１はカメラやＧＰＳ受信機などを実装しており、例えば生産者が自然生産物（自然生産物は、自然界で生産可能な物の他、自然界で生産された物が加工された物を含み、例えば、米、大豆、人参、い草、魚、貝、食用の牛・豚・鳥、卵、松茸、いくら、豆腐、牛乳、スギ、ハム、酒、醤油、家具などが該当する）を撮影して、その撮影地点を特定するＧＰＳデータを取得する際に使用する。
【０００９】
生産・出荷履歴サーバ３はネットワーク２を介して携帯電話１と接続され、携帯電話１により取得されたＧＰＳデータを受信すると、そのＧＰＳデータを含む認証リクエストを場所日時証明サーバ５に送信して、場所日時証明サーバ５により生成された認証キーを携帯電話１に転送する機能や、携帯電話１が認証キーをカメラにより撮影された写真に付加すると、その認証キーが付加された写真を情報公開サーバ６に転送する機能などを搭載している。なお、生産・出荷履歴サーバ３は認証要求手段を構成している。
【００１０】
場所日時証明サーバ５はネットワーク４を介して生産・出荷履歴サーバ３と接続され、生産・出荷履歴サーバ３からＧＰＳデータを含む認証リクエストを受信すると、気象衛星３４から気象画像を収集し、その受信時刻における気象画像と認証リクエストに含まれているＧＰＳデータをハッシュ関数に代入してハッシュ値を求め、そのハッシュ値を含む認証キーを生成する機能などを搭載している。なお、場所日時証明サーバ５は認証キー生成手段を構成している。
情報公開サーバ６はネットワーク４に接続され、店頭端末２１や消費者のパソコン２２や携帯電話２３などからアクセスを受けると、保存している写真の閲覧を許可する機能などを搭載している。
【００１１】
パソコン７は例えば生産者が情報公開サーバ６に保存される写真に対応する商品識別子（識別情報）を自然生産物貼付用のラベル３２に印刷する際に使用し、パソコン７はラベラー８を制御して商品識別子をラベル３２に印刷する。なお、パソコン７及びラベラー８から識別情報印刷手段が構成されている。
自然生産物３１には貼り換え不可能なラベル３２が貼り付けられ、生産者から流通業者を介して販売店等に送られる。
【００１２】
携帯情報端末である携帯電話１１はカメラやＧＰＳ受信機などを実装しており、携帯電話１１は例えば流通業者により使用されるが、生産者が使用する携帯電話１と同様の機能を有している。
流通履歴サーバ１３はネットワーク１２を介して携帯電話１１と接続され、生産・出荷履歴サーバ３と同様の機能を搭載している。即ち、流通履歴サーバ１３は携帯電話１１により取得されたＧＰＳデータを受信すると、そのＧＰＳデータを含む認証リクエストを場所日時証明サーバ５に送信して、場所日時証明サーバ５により生成された認証キーを携帯電話１１に転送する機能や、携帯電話１１が認証キーをカメラにより撮影された写真に付加すると、その認証キーが付加された写真を情報公開サーバ６に転送する機能などを搭載している。なお、流通履歴サーバ１３は認証要求手段を構成している。
パソコン１４は例えば流通業者が情報公開サーバ６に保存される写真に対応する商品識別子（識別情報）を自然生産物貼付用のラベル３２ａに印刷する際に使用し、パソコン１４はラベラー１５を制御して商品識別子をラベル３２ａに印刷する。なお、パソコン１４及びラベラー１５から識別情報印刷手段が構成されている。
【００１３】
店頭端末２１、消費者のパソコン２２及び携帯電話２３は、例えば、消費者が自然生産物３１に貼り付けられているラベル３２，３２ａに印刷されている商品識別子を入力すると、情報公開サーバ６にアクセスして、情報公開サーバ６から商品識別子に対応する写真を収集し、その写真を表示するなどの機能を搭載している。なお、店頭端末２１、消費者のパソコン２２及び携帯電話２３は撮影結果表示手段を構成している。
ＧＰＳ衛星３３は地球の上空を周回しており、ＧＰＳデータを重畳している電波を発信する。
気象衛星３４は雲の形などを示す気象画像を発信する。
【００１４】
図２はこの発明の実施の形態１によるトレーサビリティシステムの携帯電話１を示す構成図であり、図において、操作キー５１はユーザによる電話やメールなどの操作を受け付ける他、カメラ５２の操作などを受け付けるマンマシンインタフェースである。
カメラ５２は操作キー５１が写真の撮影指令を受け付けると起動し、自然生産物３１を撮影する。なお、カメラ５２は撮影手段を構成している。
ＧＰＳ受信機５３はカメラ５２が自然生産物３１の撮影を完了すると、ＧＰＳ衛星３３から発信される電波を受信し、その電波に重畳されているＧＰＳデータを取得する。なお、ＧＰＳ受信機５３はＧＰＳデータ取得手段を構成している。
【００１５】
制御部５４は例えばＣＰＵから構成され、操作キー５１、カメラ５２、ＧＰＳ受信機５３及び通信インタフェース５５を制御し、通信インタフェース５５を介して、ＧＰＳ受信機５３により取得されたＧＰＳデータを生産・出荷履歴サーバ３を送信する。また、制御部５４は生産・出荷履歴サーバ３により転送された認証キーをカメラ５２により撮影された写真に付加し、通信インタフェース５５を介して、その認証キー付の写真を生産・出荷履歴サーバ３を送信する。
通信インタフェース５５はアンテナや送受信機などから構成され、音声情報やメール情報の他、ＧＰＳデータや認証キー付の写真などの情報を送受信する機能を備えている。
なお、制御部５４、通信インタフェース５５、生産・出荷履歴サーバ３及び流通履歴サーバ１３から撮影結果格納手段が構成されている。
例えば流通業者が使用する携帯電話１１の構成は、例えば生産者が使用する携帯電話１の構成と同様であるため説明を省略する。
【００１６】
図３はこの発明の実施の形態１によるトレーサビリティシステムの生産・出荷履歴サーバ３を示す構成図であり、図において、送受信インタフェース６１はネットワーク２と接続され、携帯電話１から送信されたＧＰＳデータや写真などの情報を受信する通信機の機能を備えている。
認証要求部６２は例えばＣＰＵから構成され、送受信インタフェース６１がＧＰＳデータを受信すると、そのＧＰＳデータを含む認証リクエストを送受信インタフェース６３に出力する。
送受信インタフェース６３はネットワーク４と接続され、認証要求部６２から出力された認証リクエストを場所日時証明サーバ５に送信する通信機の機能を備えている。
【００１７】
認証キー転送部６４は例えばＣＰＵから構成され、送受信インタフェース６３が場所日時証明サーバ５から認証キーを受信すると、送受信インタフェース６１を介して、その認証キーを携帯電話１に転送する。
写真転送部６５は例えばＣＰＵから構成され、送受信インタフェース６１が携帯電話１から認証キーが付加された写真を受信すると、その写真を自然生産物３１の商品識別子と対にして内部のデータベース６６に保存するとともに、その写真を自然生産物３１の商品識別子と対にして情報公開サーバ６に転送する。
なお、流通履歴サーバ１３の構成は、生産・出荷履歴サーバ３の構成と同様であるため説明を省略する。
【００１８】
図４はこの発明の実施の形態１によるトレーサビリティシステムの場所日時証明サーバ５を示す構成図であり、図において、気象画像受信機７１は気象衛星３４から発信される気象画像を受信する。
受信インタフェース７２はネットワーク４と接続され、生産・出荷履歴サーバ３から送信された認証リクエストを受信する受信機の機能を備えている。
認証キー生成部７３は例えばＣＰＵから構成され、受信インタフェース７２が認証リクエストを受信すると、その受信時刻における気象画像と当該認証リクエストに含まれているＧＰＳデータをハッシュ関数に代入してハッシュ値を求め、そのハッシュ値を含む認証キーを生成する。
送信インタフェース７４はネットワーク４と接続され、認証キー生成部７３により生成された認証キーを生産・出荷履歴サーバ３に送信する送信機の機能を備えている。
【００１９】
図５はこの発明の実施の形態１によるトレーサビリティシステムの情報公開サーバ６を示す構成図であり、図において、受信インタフェース８１はネットワーク４と接続され、生産・出荷履歴サーバ３や流通履歴サーバ１３から送信された写真と商品識別子を受信する一方、店頭端末２１等から商品識別子を受信する受信機の機能を備えている。
写真管理部８２は例えばＣＰＵから構成され、受信インタフェース８１により受信された写真を内部のデータベース８３に保存するとともに、その写真と対応関係のある商品識別子をキーにして、その写真を管理する。また、写真管理部８２は受信インタフェース８１が店頭端末２１等から商品識別子を受信すると、データベース８３から当該商品識別子に対応する写真を検索する。
送信インタフェース８４はネットワーク４と接続され、写真管理部８２により検索された写真を店頭端末２１等に送信する送信機の機能を備えている。
【００２０】
次に動作について説明する。
生産者が自然生産物３１として、例えば、野菜などの農産物を栽培している場合には、栽培中の農産物や、出荷時の農産物の状況を消費者に知らせるために、その農産物を撮影する。
あるいは、自然生産物３１として、例えば、魚などの魚介類を養殖している場合には、養殖中の魚介類や、出荷時の魚介類の状況を消費者に知らせるために、その魚介類を撮影する。
即ち、生産者は、携帯電話１の操作キー５１を操作してカメラ５２を起動し、そのカメラ５２を用いて、栽培や養殖などの生産を行っている自然生産物３１や、出荷時の自然生産物３１を撮影する。
【００２１】
携帯電話１の制御部５４は、カメラ５２が自然生産物３１を撮影すると、ＧＰＳ受信機５３を起動する。
携帯電話１のＧＰＳ受信機５３は、制御部５４から起動指令を受けると、ＧＰＳ衛星３３から発信される電波を受信し、その電波に重畳されているＧＰＳデータを取得する。
携帯電話１の制御部５４は、ＧＰＳ受信機５３がＧＰＳデータを取得すると、通信インタフェース５５を介して、ＧＰＳ受信機５３により取得されたＧＰＳデータを生産・出荷履歴サーバ３を送信する。
【００２２】
生産・出荷履歴サーバ３は、携帯電話１からネットワーク２を介してＧＰＳデータを受信すると、そのＧＰＳデータを含む認証リクエストを場所日時証明サーバ５に送信する。
即ち、生産・出荷履歴サーバ３の送受信インタフェース６１は、携帯電話１から送信されたＧＰＳデータを受信すると、そのＧＰＳデータを認証要求部６２に出力する。
生産・出荷履歴サーバ３の認証要求部６２は、送受信インタフェース６１からＧＰＳデータを受けると、そのＧＰＳデータを含む認証リクエストを送受信インタフェース６３に出力する。
生産・出荷履歴サーバ３の送受信インタフェース６３は、認証要求部６２から認証リクエストを受けると、その認証リクエストを場所日時証明サーバ５に送信する。
【００２３】
場所日時証明サーバ５は、生産・出荷履歴サーバ３からネットワーク４を介してＧＰＳデータを含む認証リクエストを受信すると、気象衛星３４から気象画像を収集し、その受信時刻における気象画像と認証リクエストに含まれているＧＰＳデータをハッシュ関数に代入してハッシュ値を求め、そのハッシュ値を含む認証キーを生成する。
即ち、場所日時証明サーバ５の受信インタフェース７２は、生産・出荷履歴サーバ３から送信されたＧＰＳデータを含む認証リクエストを受信すると、その認証リクエストを認証キー生成部７３に出力する。
【００２４】
場所日時証明サーバ５の認証キー生成部７３は、受信インタフェース７２から認証リクエストを受けると、気象画像の受信指令を気象画像受信機７１に出力する。
場所日時証明サーバ５の気象画像受信機７１は、認証キー生成部７３から気象画像の受信指令を受けると、気象衛星３４から発信される気象画像を受信する。
なお、気象衛星３４は、雲の形などを示す画像であり、雲の形は時々刻々と変化するので、時刻が異なれば、必ず異なる画像となる。
【００２５】
場所日時証明サーバ５の認証キー生成部７３は、気象画像受信機７１が気象画像を受信すると、その受信時刻における気象画像と、受信インタフェース７２から出力された認証リクエストに含まれているＧＰＳデータをハッシュ関数に代入してハッシュ値を求める。
ここで、ハッシュ関数とは、原文（気象画像、ＧＰＳデータ）から固定長の擬似乱数を生成する演算手法であり、要約関数と呼ばれることもある。また、ハッシュ関数により生成された固定長の擬似乱数はハッシュ値と呼ばれる。
なお、ハッシュ関数は、不可逆的な一方向関数を含むため、ハッシュ値から原文を再現することはできず、また、同じハッシュ値を持つ異なるデータを作成することは極めて困難である。
【００２６】
認証キー生成部７３は、ハッシュ関数のハッシュ値を求めると、そのハッシュ値を含む認証キーを生成する。なお、ハッシュ値＝認証キーでもよいし、認証キーがハッシュ値以外の情報を含んでいてもよい。
場所日時証明サーバ５の送信インタフェース７４は、認証キー生成部７３が認証キーを生成すると、その認証キーを生産・出荷履歴サーバ３に送信する。
なお、場所日時証明サーバ５の具体的な処理内容は、例えば、特開２００２−２１５８２５号公報に開示されている。
【００２７】
生産・出荷履歴サーバ３は、場所日時証明サーバ５からネットワーク４を介して認証キーを受信すると、その認証キーを携帯電話１に転送する。
即ち、生産・出荷履歴サーバ３の送受信インタフェース６３は、場所日時証明サーバ５から認証キーを受信すると、その認証キーを認証キー転送部６４に出力する。
生産・出荷履歴サーバ３の認証キー転送部６４は、送受信インタフェース６３から認証キーを受けると、その認証キーを送受信インタフェース６１に出力する。
生産・出荷履歴サーバ３の送受信インタフェース６１は、認証キー転送部６４から認証キーを受けると、その認証キーを携帯電話１に転送する。
【００２８】
携帯電話１の制御部５４は、通信インタフェース５５が生産・出荷履歴サーバ３により転送された認証キーを受信すると、その認証キーをカメラ５２により撮影された写真に付加する。
携帯電話１の制御部５４は、認証キーを写真に付加すると、通信インタフェース５５を介して、その認証キー付の写真を生産・出荷履歴サーバ３を送信する。
【００２９】
生産・出荷履歴サーバ３は、携帯電話１からネットワーク２を介して認証キー付の写真を受信すると、その認証キー付の写真を情報公開サーバ６に転送する。
即ち、生産・出荷履歴サーバ３の送受信インタフェース６１は、携帯電話１から認証キー付の写真を受信すると、その認証キー付の写真を写真転送部６５に出力する。
生産・出荷履歴サーバ３の写真転送部６５は、送受信インタフェース６１から認証キー付の写真を受けると、その認証キー付の写真を自然生産物３１の商品識別子と対にして内部のデータベース６６に保存する。
また、写真転送部６５は、その写真を自然生産物３１の商品識別子と対にして送受信インタフェース６３に出力する。
生産・出荷履歴サーバ３の送受信インタフェース６３は、写真転送部６５から認証キー付の写真と自然生産物３１の商品識別子を受けると、認証キー付の写真と自然生産物３１の商品識別子を情報公開サーバ６に転送する。
【００３０】
情報公開サーバ６は、生産・出荷履歴サーバ３からネットワーク４を介して認証キー付の写真と自然生産物３１の商品識別子を受信すると、その認証キー付の写真と自然生産物３１の商品識別子を保存する。
即ち、情報公開サーバ６の受信インタフェース８１は、生産・出荷履歴サーバ３から送信された認証キー付の写真と自然生産物３１の商品識別子を受信すると、その認証キー付の写真と自然生産物３１の商品識別子を写真管理部８２に出力する。
情報公開サーバ６の写真管理部８２は、受信インタフェース８１から認証キー付の写真と自然生産物３１の商品識別子を受けると、その認証キー付の写真を内部のデータベース８３に保存するとともに、その写真と対応関係のある商品識別子をキーにして、その写真を管理する。
【００３１】
例えば、生産者は、上記のようにして、認証キー付の写真が情報公開サーバ６に保存されると、パソコン７のキーボード等を操作して、認証キー付の写真に対応する自然生産物３１の商品識別子の印刷指令を入力する。
パソコン７は、商品識別子の印刷指令を受けると、ラベラー８を制御して、自然生産物３１の商品識別子をラベル３２に印刷する。なお、自然生産物３１の商品識別子をラベル３２に印刷する際、自然生産物３１の生産履歴や出荷履歴などの情報もラベル３２に印刷する。
生産者は、自然生産物３１の商品識別子が印刷されたラベル３２を自然生産物３１に貼り付ける。
【００３２】
上述した自然生産物３１の撮影から、商品識別子が印刷されたラベル３２を自然生産物３１に貼り付けるまでの一連の処理は、生産段階や出荷段階の任意の時期に１回あるいは複数回実施される。
ラベル３２が貼り付けられた自然生産物３１は、その後、出荷されて流通業者に渡される。
流通業者は、ラベル３２が貼り付けられた自然生産物３１を入手すると、所定の流通経路で自然生産物３１を販売店等まで輸送するが、自然生産物３１の流通状況を消費者に知らせるために、その自然生産物３１を撮影する。
【００３３】
流通段階の自然生産物３１の撮影から、商品識別子が印刷されたラベル３２ａを自然生産物３１に貼り付けるまでの一連の処理は、生産段階や出荷段階のときと同様であるため、詳細な説明は省略するが、流通段階では、例えば、流通業者が携帯電話１１を用いて、流通段階の自然生産物３１を撮影し、流通履歴サーバ１３が場所日時証明サーバ５に対する認証リクエストの送信や認証キーの受信を行う。
また、流通履歴サーバ１３が認証キー付の写真を商品識別子と対にして内部のデータベースに保存するとともに、その認証キー付の写真と商品識別子を情報公開サーバ６に転送する。
【００３４】
流通業者は、上記のようにして、認証キー付の写真が情報公開サーバ６に保存されると、パソコン１４のキーボード等を操作して、認証キー付の写真に対応する自然生産物３１の商品識別子の印刷指令を入力する。
パソコン１４は、商品識別子の印刷指令を受けると、ラベラー１５を制御して、自然生産物３１の商品識別子をラベル３２ａに印刷する。なお、自然生産物３１の商品識別子をラベル３２ａに印刷する際、自然生産物３１の流通履歴（例えば、流通時の温度や湿度などの品質情報）などの情報もラベル３２ａに印刷する。
流通業者は、自然生産物３１の商品識別子が印刷されたラベル３２ａを自然生産物３１に貼り付ける。
【００３５】
上述した自然生産物３１の撮影から、商品識別子が印刷されたラベル３２ａを自然生産物３１に貼り付けるまでの一連の処理は、流通段階の任意の時期に１回あるいは複数回実施される。
ラベル３２，３２ａが貼り付けられた自然生産物３１は、その後、輸送されて販売店等に届けられる。
【００３６】
上記のようにして、情報公開サーバ６に保存された認証キー付の写真は閲覧自在に公開されており、消費者はいつでも自由に閲覧することができる。
例えば、消費者が店頭端末２１（あるいは、パソコン２２や携帯電話２３）を操作して、自然生産物３１に貼り付けられているラベル３２，３２ａに印刷されている商品識別子を入力すると、店頭端末２１が情報公開サーバ６にアクセスし、その商品識別子を情報公開サーバ６に送信する。
なお、商品識別子の入力は、消費者が店頭端末２１のキーを操作して入力してもよいが、その商品識別子が例えば二次元バーコード形式で印刷されているような場合には、付属のスキャナやカメラを用いて商品識別子を解析するようにしてもよい。
【００３７】
情報公開サーバ６は、店頭端末２１からアクセスを受けて商品識別子を受信すると、その商品識別子に対応する認証キー付の写真の閲覧を許可する。
即ち、情報公開サーバ６の受信インタフェース８１は、店頭端末２１から商品識別子を受信すると、その商品識別子を写真管理部８２に出力する。
情報公開サーバ６の写真管理部８２は、受信インタフェース８１から商品識別子を受けると、データベース８３に保存されている認証キー付の写真の中から、その商品識別子に対応する認証キー付の写真を検索する。
情報公開サーバ６の送信インタフェース８４は、写真管理部８２が商品識別子に対応する認証キー付の写真を検索すると、その認証キー付の写真を店頭端末２１に送信する。
【００３８】
店頭端末２１は、情報公開サーバ６から送信された認証キー付の写真を受信すると、その認証キー付の写真をディスプレイに表示する。
認証キー付の写真は、生産段階、出荷段階及び流通段階の自然生産物３１を撮影したものであるので、消費者は、自然生産物３１の生産状況や出荷状況や流通状況を確認することができる。
また、写真の撮影時刻と撮影地点を特定するハッシュ値を含む認証キーが写真に付加されており、写真の撮影時刻と撮影地点が証明されているので、当該写真は信憑性の高いものである。
【００３９】
以上で明らかなように、この実施の形態１によれば、生産・出荷履歴サーバ３や流通履歴サーバ１３から認証リクエストを受信すると、その受信時刻における気象画像と認証リクエストに含まれているＧＰＳデータをハッシュ関数に代入してハッシュ値を求め、そのハッシュ値を含む認証キーを生成する場所日時証明サーバ５を設け、その場所日時証明サーバ５により生成された認証キーを携帯電話１，１１のカメラ５２の撮影結果である写真に付加し、その写真を閲覧自在の情報公開サーバ６に格納するように構成したので、自然生産物３１の安心や安全を消費者に提供することができる効果を奏する。
また、生産・出荷履歴サーバ３に格納される写真は、撮影日時や場所毎に整理することができるので、生産者が当該写真の内容を解析して、翌年度や次回の栽培・養殖などに役立てることができる効果を奏する。
【００４０】
また、この実施の形態１によれば、情報公開サーバ６に保存される写真と同じ写真が生産・出荷履歴サーバ３や流通履歴サーバ１３でも保存されるので、万一、情報公開サーバ６に保存されている写真が何者かに破壊されても、その写真を復元することができる効果を奏する。
なお、場所日時証明サーバ５や情報公開サーバ６の運営は、生産者や流通者と利害関係がない第三者が運営するようにすれば、さらに、システムの証明レベルが向上する。
【００４１】
実施の形態２．
上記実施の形態１では、携帯電話１がＧＰＳデータを生産・出荷履歴サーバ３に送信し、生産・出荷履歴サーバ３がＧＰＳデータを含む認証リクエストを場所日時証明サーバ５に送信することにより、その場所日時証明サーバ５から認証キーを取得して携帯電話１に転送するものについて示したが、携帯電話１がＧＰＳデータを含む認証リクエストを場所日時証明サーバ５に送信することにより、その場所日時証明サーバ５から認証キーを取得するようにしてもよい。
【００４２】
図６はこの発明の実施の形態２によるトレーサビリティシステムを示す構成図である。
図７はこの発明の実施の形態２によるトレーサビリティシステムの携帯電話１を示す構成図であり、図において、図２と同一符号は同一または相当部分を示すので説明を省略する。
認証要求部５６は例えばＣＰＵから構成され、ＧＰＳ受信機５３により取得されたＧＰＳデータを含む認証リクエストを通信インタフェース５７に出力する。
通信インタフェース５７はアンテナや送受信機などから構成され、ネットワーク４を介して、認証要求部５６から出力された認証リクエストを場所日時証明サーバ５に送信する一方、場所日時証明サーバ５から送信された認証キーを受信し、その認証キーを制御部５４に出力する。なお、認証要求部５６及び通信インタフェース５７から認証要求手段が構成されている。
例えば流通業者が使用する携帯電話１１の構成は、例えば生産者が使用する携帯電話１の構成と同様であるため説明を省略する。
【００４３】
図８はこの発明の実施の形態２によるトレーサビリティシステムの生産・出荷履歴サーバ３を示す構成図であり、図３の生産・出荷履歴サーバ３と比べて、認証要求部６２と認証キー転送部６４が削除されている点で相違している。
なお、流通履歴サーバ１３の構成は、生産・出荷履歴サーバ３の構成と同様であるため説明を省略する。
【００４４】
次に動作について説明する。
生産者は、上記実施の形態１と同様に、携帯電話１の操作キー５１を操作してカメラ５２を起動し、そのカメラ５２を用いて、栽培や養殖などの生産を行っている自然生産物３１や、出荷時の自然生産物３１を撮影する。
携帯電話１の制御部５４は、カメラ５２が自然生産物３１を撮影すると、ＧＰＳ受信機５３を起動する。
携帯電話１のＧＰＳ受信機５３は、制御部５４から起動指令を受けると、ＧＰＳ衛星３３から発信される電波を受信し、その電波に重畳されているＧＰＳデータを取得する。
【００４５】
携帯電話１の認証要求部５６は、ＧＰＳ受信機５３がＧＰＳデータを取得すると、そのＧＰＳデータを含む認証リクエストを通信インタフェース５７に出力する。
携帯電話１の通信インタフェース５７は、認証要求部５６からＧＰＳデータを含む認証リクエストを受けると、ネットワーク４を介して、その認証リクエストを場所日時証明サーバ５に送信する。
【００４６】
場所日時証明サーバ５は、携帯電話１からネットワーク４を介してＧＰＳデータを含む認証リクエストを受信すると、上記実施の形態１と同様に、気象衛星３４から気象画像を収集し、その受信時刻における気象画像と認証リクエストに含まれているＧＰＳデータをハッシュ関数に代入してハッシュ値を求め、そのハッシュ値を含む認証キーを生成する。
即ち、場所日時証明サーバ５の受信インタフェース７２は、携帯電話１からから送信されたＧＰＳデータを含む認証リクエストを受信すると、その認証リクエストを認証キー生成部７３に出力する。
【００４７】
場所日時証明サーバ５の認証キー生成部７３は、上記実施の形態１と同様に、受信インタフェース７２から認証リクエストを受けると、気象画像の受信指令を気象画像受信機７１に出力する。
場所日時証明サーバ５の気象画像受信機７１は、認証キー生成部７３から気象画像の受信指令を受けると、上記実施の形態１と同様に、気象衛星３４から発信される気象画像を受信する。
場所日時証明サーバ５の認証キー生成部７３は、気象画像受信機７１が気象画像を受信すると、上記実施の形態１と同様に、その受信時刻における気象画像と、受信インタフェース７２から出力された認証リクエストに含まれているＧＰＳデータをハッシュ関数に代入してハッシュ値を求め、そのハッシュ値を含む認証キーを生成する。
場所日時証明サーバ５の送信インタフェース７４は、認証キー生成部７３が認証キーを生成すると、その認証キーを携帯電話１に送信する。
【００４８】
携帯電話１の通信インタフェース５７は、場所日時証明サーバ５から送信された認証キーを受信すると、その認証キーを制御部５４に出力する。
携帯電話１の制御部５４は、通信インタフェース５７から認証キーを受けると、その認証キーをカメラ５２により撮影された写真に付加する。
携帯電話１の制御部５４は、認証キーを写真に付加すると、通信インタフェース５５を介して、その認証キー付の写真を生産・出荷履歴サーバ３を送信する。
【００４９】
生産・出荷履歴サーバ３は、携帯電話１からネットワーク２を介して認証キー付の写真を受信すると、上記実施の形態１と同様に、その認証キー付の写真を情報公開サーバ６に転送する。
即ち、生産・出荷履歴サーバ３の送受信インタフェース６１は、携帯電話１から認証キー付の写真を受信すると、その認証キー付の写真を写真転送部６５に出力する。
生産・出荷履歴サーバ３の写真転送部６５は、送受信インタフェース６１から認証キー付の写真を受けると、その認証キー付の写真を自然生産物３１の商品識別子と対にして内部のデータベース６６に保存する。
また、写真転送部６５は、その写真を自然生産物３１の商品識別子と対にして送受信インタフェース６３に出力する。
生産・出荷履歴サーバ３の送受信インタフェース６３は、写真転送部６５から認証キー付の写真と自然生産物３１の商品識別子を受けると、認証キー付の写真と自然生産物３１の商品識別子を情報公開サーバ６に転送する。
【００５０】
情報公開サーバ６は、生産・出荷履歴サーバ３からネットワーク４を介して認証キー付の写真と自然生産物３１の商品識別子を受信すると、上記実施の形態１と同様に、その認証キー付の写真と自然生産物３１の商品識別子を保存する。
即ち、情報公開サーバ６の受信インタフェース８１は、生産・出荷履歴サーバ３から送信された認証キー付の写真と自然生産物３１の商品識別子を受信すると、その認証キー付の写真と自然生産物３１の商品識別子を写真管理部８２に出力する。
情報公開サーバ６の写真管理部８２は、受信インタフェース８１から認証キー付の写真と自然生産物３１の商品識別子を受けると、その認証キー付の写真を内部のデータベース８３に保存するとともに、その写真と対応関係のある商品識別子をキーにして、その写真を管理する。
【００５１】
例えば、生産者は、上記のようにして、認証キー付の写真が情報公開サーバ６に保存されると、パソコン７のキーボード等を操作して、認証キー付の写真に対応する自然生産物３１の商品識別子の印刷指令を入力する。
パソコン７は、商品識別子の印刷指令を受けると、上記実施の形態１と同様に、ラベラー８を制御して、自然生産物３１の商品識別子をラベル３２に印刷する。なお、自然生産物３１の商品識別子をラベル３２に印刷する際、自然生産物３１の生産履歴や出荷履歴などの情報もラベル３２に印刷する。
生産者は、自然生産物３１の商品識別子が印刷されたラベル３２を自然生産物３１に貼り付ける。
【００５２】
上述した自然生産物３１の撮影から、商品識別子が印刷されたラベル３２を自然生産物３１に貼り付けるまでの一連の処理は、生産段階や出荷段階の任意の時期に１回あるいは複数回実施される。
ラベル３２が貼り付けられた自然生産物３１は、その後、出荷されて流通業者に渡される。
流通業者は、ラベル３２が貼り付けられた自然生産物３１を入手すると、所定の流通経路で自然生産物３１を販売店等まで輸送するが、自然生産物３１の流通状況を消費者に知らせるために、その自然生産物３１を撮影する。
【００５３】
流通段階の自然生産物３１の撮影から、商品識別子が印刷されたラベル３２ａを自然生産物３１に貼り付けるまでの一連の処理は、生産段階や出荷段階のときと同様であるため、詳細な説明は省略するが、流通段階では、例えば、流通業者が携帯電話１１を用いて、流通段階の自然生産物３１を撮影し、携帯電話１１が場所日時証明サーバ５に対する認証リクエストの送信や認証キーの受信を行う。
また、流通履歴サーバ１３が認証キー付の写真を商品識別子と対にして内部のデータベースに保存するとともに、その認証キー付の写真と商品識別子を情報公開サーバ６に転送する。
【００５４】
流通業者は、上記のようにして、認証キー付の写真が情報公開サーバ６に保存されると、パソコン１４のキーボード等を操作して、認証キー付の写真に対応する自然生産物３１の商品識別子の印刷指令を入力する。
パソコン１４は、商品識別子の印刷指令を受けると、上記実施の形態１と同様に、ラベラー１５を制御して、自然生産物３１の商品識別子をラベル３２ａに印刷する。なお、自然生産物３１の商品識別子をラベル３２ａに印刷する際、自然生産物３１の流通履歴（例えば、流通時の温度や湿度などの品質情報）などの情報もラベル３２ａに印刷する。
流通業者は、自然生産物３１の商品識別子が印刷されたラベル３２ａを自然生産物３１に貼り付ける。
【００５５】
上述した自然生産物３１の撮影から、商品識別子が印刷されたラベル３２ａを自然生産物３１に貼り付けるまでの一連の処理は、流通段階の任意の時期に１回あるいは複数回実施される。
ラベル３２，３２ａが貼り付けられた自然生産物３１は、その後、輸送されて販売店等に届けられる。
【００５６】
上記のようにして、情報公開サーバ６に保存された認証キー付の写真は閲覧自在に公開されており、消費者はいつでも自由に閲覧することができる。
例えば、消費者が店頭端末２１（あるいは、パソコン２２や携帯電話２３）を操作して、自然生産物３１に貼り付けられているラベル３２，３２ａに印刷されている商品識別子を入力すると、店頭端末２１が情報公開サーバ６にアクセスし、その商品識別子を情報公開サーバ６に送信する。
なお、商品識別子の入力は、消費者が店頭端末２１のキーを操作して入力してもよいが、その商品識別子が例えば二次元バーコード形式で印刷されているような場合には、付属のスキャナやカメラを用いて商品識別子を解析するようにしてもよい。
【００５７】
情報公開サーバ６は、店頭端末２１からアクセスを受けて商品識別子を受信すると、上記実施の形態１と同様に、その商品識別子に対応する認証キー付の写真の閲覧を許可する。
即ち、情報公開サーバ６の受信インタフェース８１は、店頭端末２１から商品識別子を受信すると、その商品識別子を写真管理部８２に出力する。
情報公開サーバ６の写真管理部８２は、受信インタフェース８１から商品識別子を受けると、データベース８３に保存されている認証キー付の写真の中から、その商品識別子に対応する認証キー付の写真を検索する。
情報公開サーバ６の送信インタフェース８４は、写真管理部８２が商品識別子に対応する認証キー付の写真を検索すると、その認証キー付の写真を店頭端末２１に送信する。
【００５８】
店頭端末２１は、情報公開サーバ６から送信された認証キー付の写真を受信すると、上記実施の形態１と同様に、その認証キー付の写真をディスプレイに表示する。
認証キー付の写真は、生産段階、出荷段階及び流通段階の自然生産物３１を撮影したものであるので、消費者は、自然生産物３１の生産状況や出荷状況や流通状況を確認することができる。
また、写真の撮影時刻と撮影地点を特定するハッシュ値を含む認証キーが写真に付加されており、写真の撮影時刻と撮影地点が証明されているので、当該写真は信憑性の高いものである。
【００５９】
以上で明らかなように、この実施の形態２によれば、携帯電話１，１１から認証リクエストを受信すると、その受信時刻における気象画像と認証リクエストに含まれているＧＰＳデータをハッシュ関数に代入してハッシュ値を求め、そのハッシュ値を含む認証キーを生成する場所日時証明サーバ５を設け、その場所日時証明サーバ５により生成された認証キーを携帯電話１，１１のカメラ５２の撮影結果である写真に付加し、その写真を閲覧自在の情報公開サーバ６に格納するように構成したので、自然生産物３１の安心や安全を消費者に提供することができる効果を奏する。
また、生産・出荷履歴サーバ３に格納される写真は、撮影日時や場所毎に整理することができるので、生産者が当該写真の内容を解析して、翌年度や次回の栽培や養殖などに役立てることができる効果を奏する。
【００６０】
また、この実施の形態２によれば、情報公開サーバ６に保存される写真と同じ写真が生産・出荷履歴サーバ３や流通履歴サーバ１３でも保存されるので、万一、情報公開サーバ６に保存されている写真が何者かに破壊されても、その写真を維持することができる効果を奏する。
なお、場所日時証明サーバ５や情報公開サーバ６の運営は、生産者や流通者と利害関係がない第三者が運営するようにすれば、さらに、システムの証明レベルが向上する。
【００６１】
実施の形態３．
上記実施の形態１，２では、ラベラー８，１５が認証キー付の写真に対応する自然生産物３１の商品識別子をラベル３２，３２ａに印刷するものについて示したが、自然生産物３１の商品識別子として、例えば、商品の分類番号を示す商品カタログ番号をラベル３２，３２ａに印刷するようにしてもよい。
また、自然生産物３１の商品識別子として、商品カタログ番号とハッシュ値を含む認証キーをラベル３２，３２ａに印刷するようにしてもよい。
この場合、商品カタログ番号、生産・出荷場所や日時が明確化されるので、トラブル発生時のトレースバックを迅速に行うことができる効果を奏する。
なお、自然生産物３１の商品識別子として、認証キーをラベル３２，３２ａに印刷する際、ラベラー８，１５がＧＰＳ受信機を搭載している場合には、そのＧＰＳ受信機により取得されたＧＰＳデータを含む認証リクエストを場所日時証明サーバ５に送信することにより、場所日時証明サーバ５から認証キーを取得するようにしてもよい。
【００６２】
実施の形態４．
上記実施の形態１，２では、認証キー付の写真が情報公開サーバ６等に保存されるものについて示したが、情報公開サーバ６等に保存されている写真の枚数と、場所日時証明サーバ５により生成された認証キー（場所日時証明サーバ５が受けた認証リクエスト）の個数が一致しない場合、即ち、場所日時証明サーバ５が受けた認証リクエストの個数より情報公開サーバ６等に保存されている写真の枚数が多い場合、不正な写真が保存されている可能性がある。
そこで、この実施の形態４では、場所日時証明サーバ５は、認証リクエストを受信する毎に、その認証リクエストの個数をカウントし、過去に受信した認証リクエストの個数と情報公開サーバ６等に保存されている写真の枚数を比較し、両者が一致しない場合、警報を通知するようにしている。
これにより、不正な写真の検出処理を行うことができるようになる効果を奏する。
【図面の簡単な説明】
【００６３】
【図１】この発明の実施の形態１によるトレーサビリティシステムを示す構成図である。
【図２】この発明の実施の形態１によるトレーサビリティシステムの携帯電話を示す構成図である。
【図３】この発明の実施の形態１によるトレーサビリティシステムの生産・出荷履歴サーバを示す構成図である。
【図４】この発明の実施の形態１によるトレーサビリティシステムの場所日時証明サーバを示す構成図である。
【図５】この発明の実施の形態１によるトレーサビリティシステムの情報公開サーバを示す構成図である。
【図６】この発明の実施の形態２によるトレーサビリティシステムを示す構成図である。
【図７】この発明の実施の形態２によるトレーサビリティシステムの携帯電話を示す構成図である。
【図８】この発明の実施の形態２によるトレーサビリティシステムの生産・出荷履歴サーバを示す構成図である。
【符号の説明】
【００６４】
１  携帯電話（携帯情報端末）、２  ネットワーク、３  生産・出荷履歴サーバ（認証要求手段、撮影結果格納手段）、４  ネットワーク、５  場所日時証明サーバ（認証キー生成手段）、６  情報公開サーバ、７  パソコン（識別情報印刷手段）、８  ラベラー（識別情報印刷手段）、１１  携帯電話（携帯情報端末）、１２  ネットワーク、１３  流通履歴サーバ（認証要求手段、撮影結果格納手段）、１４  パソコン（識別情報印刷手段）、１５  ラベラー（識別情報印刷手段）、２１  店頭端末（撮影結果表示手段）、２２  パソコン（撮影結果表示手段）、２３  携帯電話（撮影結果表示手段）、３１  自然生産物、３２  ラベル、３３  ＧＰＳ衛星、３４  気象衛星、５１  操作キー、５２  カメラ（撮影手段）、５３  ＧＰＳ受信機（ＧＰＳデータ取得手段）、５４  制御部（撮影結果格納手段）、５５  通信インタフェース（撮影結果格納手段）、５６  認証要求部（認証要求手段）、５７  通信インタフェース（認証要求手段）、６１  送受信インタフェース、６２  認証要求部、６３  送受信インタフェース、６４  認証キー転送部、６５  写真転送部、６６  データベース、７１  気象画像受信機、７２  受信インタフェース、７３  認証キー生成部、７４  送信インタフェース、８１  受信インタフェース、８２  写真管理部、８３  データベース、８４  送信インタフェース。
【図１】
2006195654.tif 000003
【図２】
2006195654.tif 000004
【図３】
2006195654.tif 000005
【図４】
2006195654.tif 000006
【図５】
2006195654.tif 000007
【図６】
2006195654.tif 000008
【図７】
2006195654.tif 000009
【図８】
2006195654.tif 000010